(57)【要約】【課題】密閉扉の密閉解除時、ガイドレールの側板の内面から、押し付けられたシール材を容易に剥離でき、構造物の開口部分からの密閉扉の撤去作業が容易な密閉扉用締込ハンドルを提供する。【解決手段】密閉扉１４の密閉時、操作アーム３５の密閉方向への回動に伴い、運動変換機構３６を介して、スライドピン３３がＹ１方向へスライドし、そのＹ１側の端部がガイドレール１３のＹ１側の側板１７の内面に当接する。その後も、操作アーム３５を密閉方向へ回動することで、Ｙ１側の側板１７の内面をスライドピン３３が押しながら、この側板１７の内面に当接したスライドピン３３の端部を支点にして、密閉扉１４をＹ２方向へ移動させる。その結果、シール材２６がＹ２側の側板１８の内面に圧着され、密閉扉１４が密閉される。【選択図】図１
2018159181.tif 000002
【特許請求の範囲】
【請求項１】
構造物の開口部分に配置されて、内外方向に離間する２枚の側板を底板により連結した樋状のガイドレールに沿って移動する密閉扉を、該密閉扉に固定したシール材を介して、該シール材と対峙した前記側板の内面に押し付ける密閉と、この押し付けられた側板の内面から前記密閉扉を離反させる密閉解除とを、操作アームの回動操作によって行う密閉扉用締込ハンドルにおいて、
前記密閉扉の外周部のうち、前記ガイドレールに収納された部分に、内外方向へスライド自在に取り付けられたスライドピンと、
前記操作アームの回動運動を前記スライドピンの直線運動に変換するとともに、この直線運動に伴い、前記ガイドレールの２枚の側板のうち、何れか一方の側板の内面に当接した前記スライドピンの端部を支点にして、前記密閉扉をその他方の側板へ向かって移動させることで、前記密閉扉の密閉および密閉解除を行う運動変換機構とを備えた密閉扉用締込ハンドル。
【請求項２】
前記密閉扉の外周部のうち、前記ガイドレールに収納された部分の端面には、内外方向の両端面を貫通した円形の貫通孔を有する本体ケーシングが固定され、
該本体ケーシングの貫通孔には、前記貫通孔の軸線を中心にして回動自在な円筒軸が収納され、
該円筒軸の軸孔内には、前記スライドピンが内外方向へスライド自在に収納され、
前記円筒軸の長さ方向のシール材側とは反対側の端部には、前記操作アームの基端部が固定されている請求項１に記載の密閉扉用締込ハンドル。
【請求項３】
前記運動変換機構は、前記円筒軸の胴部に形成された螺旋状のカム溝と、前記スライドピンの外周面から突出して、前記カム溝に収納されるカム突起とを有したカム機構である請求項２に記載の密閉扉用締込ハンドル。
【発明の詳細な説明】
【技術分野】
【０００１】
この発明は密閉扉用締込ハンドル、詳しくは構造物の出入口を塞いだ密閉扉（防水板）の密閉を行うための密閉扉用締込ハンドルに関する。
【背景技術】
【０００２】
近年、大地震による津波、異常気象による台風や集中豪雨などで洪水が発生した際、建物（構造物）の出入口に設けることにより、建物内への水の流れ込みを防止するものとして、例えば、非特許文献１に記載された締込ハンドル付きの防水板が知られている。
これは、建物の出入口を横切るように床面に溝を形成し、この溝内にガイドレールを配置している。このガイドレールには、戸袋に収納された矩形の防水板（密閉扉）がスライド自在に設けられている。防水板の外周部付近の外面（表面）には、締込ハンドルの操作アームが水平な回動軸を中心にして回動自在に取り付けられている。さらに、防水板の外周縁部のうち、ガイドレールに収納された（入り込んだ）部分の内面（裏面）に、帯状のゴムからなるシール材を固定している。ガイドレールは、防水板の内外方向（溝幅方向）に離間する２枚の側板を底板により連結した樋状の構成である。
【０００３】
防水板の密閉時、戸袋から防水板をガイドレールに沿って引き出し、建物の出入口の前方にこれを配置して出入口を塞ぐ。その後、操作アームを密閉方向へ回動し、ガイドレールの外側の側板と防水板との隙間に操作アームの先端部を圧入する。これにより、防水扉の内面のシール材が、ガイドレールの内側の側板の内面に圧着され、密閉扉が密閉される。その結果、建物の出入口が水密的に塞がれる。
一方、防水板の密閉解除時には、操作アームを密閉解除方向へ回動し、ガイドレールの外側の側板と防水板との隙間から操作アームの先端部を引き抜き、その後、防水板をガイドレールに沿って移動して戸袋に納める。
【先行技術文献】
【特許文献】
【０００４】
【非特許文献１】［平成２９年２月２３日検索］、インターネット＜ＵＲＬ：https://www.nikko-net.co.jp/machinery/toshibousai/slide.html＞
【発明の開示】
【発明が解決しようとする課題】
【０００５】
しかしながら、非特許文献１では、このようにシール材がゴム製のものである。そのため、構造物の出入口の密閉解除時、操作アームの先端部をガイドレールの外側の側板と防水板との隙間から引き抜いても、圧着されたシール材は、内側の側板の内面から剥がれにくかった。その結果、開扉作業を行う作業者に、重労働を強いることとなっていた。このことは、シール材が経年劣化している場合に顕著となった。
【０００６】
そこで、発明者は鋭意研究の結果、密閉扉用締込ハンドルとして、密閉扉の外周部のうち、ガイドレールに収納された部分の端面に、スライドピンを構造物の出入口の内外方向へ移動（出没）自在に取り付け、スライドピンと操作アームとを、回転運動を直線運動に変換する運動変換機構により連結し、また、運動変換機構に、この直線運動に伴い、ガイドレールの２枚の側板のうち、何れか一方の側板の内面に当接したスライドピンの端部を支点にして、密閉扉をその他方の側板へ向かって移動させる機能を付加すれば、上述した課題は解消されることを知見し、この発明を完成させた。
【０００７】
すなわち、この発明は、密閉扉の密閉解除時、シール材が圧着されたガイドレールの側板の内面から、シール材を容易に剥がすことができ、これにより作業者による構造物の開口部分からの密閉扉の撤去作業が容易になる密閉扉用締込ハンドルを提供することを目的としている。
【課題を解決するための手段】
【０００８】
請求項１に記載の発明は、構造物の開口部分に配置されて、内外方向に離間する２枚の側板を底板により連結した樋状のガイドレールに沿って移動する密閉扉を、該密閉扉に固定したシール材を介して、該シール材と対峙した前記側板の内面に押し付ける密閉と、この押し付けられた側板の内面から前記密閉扉を離反させる密閉解除とを、操作アームの回動操作によって行う密閉扉用締込ハンドルにおいて、前記密閉扉の外周部のうち、前記ガイドレールに収納された部分に、内外方向へスライド自在に取り付けられたスライドピンと、前記操作アームの回動運動を前記スライドピンの直線運動に変換するとともに、この直線運動に伴い、前記ガイドレールの２枚の側板のうち、何れか一方の側板の内面に当接した前記スライドピンの端部を支点にして、前記密閉扉をその他方の側板へ向かって移動させることで、前記密閉扉の密閉および密閉解除を行う運動変換機構とを備えた密閉扉用締込ハンドルである。
【０００９】
ここでいう密閉扉用締込ハンドルとは、例えば台風、ゲリラ豪雨、高波、津波などによる洪水などの水害時に、ガイドレールに沿って移動して建造物の開口部分に配置された密閉扉を、ガイドレールの一方の側板に、シール材を介して押し付けて密閉するためのハンドルである。
構造物の種類は限定されない。例えば、ビル、マンション、住宅、施設、倉庫、工場、商店、モールなどの各種の建物を採用することができる。その他、地下鉄、地下街、地下道、地下駐車場などでもよい。
構造物の開口部分としては、例えば、各種の建物の出入口（荷物の搬出口を含む）、地下鉄、地下街、地下道、地下駐車場などの出入口などが挙げられる。
ここでいう“内外方向”とは、構造物の開口より内側、外側に向かう方向（屋内、屋外の方向、または密閉扉の表裏に向かう方向）をいう。
【００１０】
ここでのガイドレールは、例えば床面に形成された断面矩形の溝にはまり込む樋状（断面コの字形状）の長尺材で形成される場合と、床面から垂直に延びる同様の溝にはまり込む樋状の長尺材で形成される場合とを含む。すなわち、ガイドレールの長さ方向（密閉扉のスライド方向）が、横方向（水平方向）およびまたは縦方向（垂直方向）の何れであってもよい。
このガイドレールの素材としては、例えば、コンクリート、各種の金属（ステンレス、鉄、アルミニウム合金など）を採用することができる。
ガイドレールの形状は、２枚の側板の基端側の端部同士を底板により連結した樋状（断面がコの字形状）であればよい。底板は、平板でも湾曲板でもよい。底板には軌道が敷設されていても、いなくてもよい。要は、その一部分がガイドレールにはまり込んだ密閉扉がガイドレールに案内されてガイドレール内を走行可能とされていることである。
ここでいう「ガイドレールの２枚の側板のうち、何れか一方の側板の内面」とは、ガイドレールの内側（屋内側、裏側）に配置された側板でも、外側（屋外側、表側）に配置された側板でもよい。
【００１１】
シール材の素材としては、例えば、天然ゴムの他、ニトリルゴム、シリコーンゴム、アクリルゴム、スチレンブタジエンゴム、フッ素ゴム、エチレンプロピレンゴムなどの合成ゴム、四フッ化エチレンゴム樹脂、麻や綿などの植物繊維や皮革といった各種の有機素材を採用することができる。その他、鉄合金、非鉄合金、セラミック、黒鉛、石綿などの無機素材でもよい。
シール材の長さは、ガイドレールの長さに応じて適宜変更される。
【００１２】
密閉扉の種類は限定されない。例えば、引戸式の密閉扉を採用することができる。その他、脱着式の密閉扉や回動式の密閉扉などでもよい。
密閉扉（密閉パネル、止水パネル、止水用引戸とも言う）の形状・素材は限定されない。矩形板、矩形だが中空のパネルなどを含む。また、例えばステンレス、鉄、アルミニウム合金などの各種の金属、ポリカーボネート樹脂、フッ素系樹脂などの各種のプラスチックで形成することができる。
ここでいう「密閉扉の内面」とは、建造物の開口部分に密閉扉が配置されたとき、密閉扉の建造物の屋内と正対した面（屋内側の面、裏面）をいう。
ここでいう「密閉扉の外面」とは、建造物の開口部分に密閉扉が配置されたとき、密閉扉の建造物の屋外と正対した面（屋外側の面、表面）をいう。
密閉扉のサイズ（高さ、幅、厚さなど）や形状は、構造物の開口部分のサイズや形状、設計水深に合わせて適宜変更される。
【００１３】
ここでいう操作アームは、所定長さを有する棒、板片で構成され、その基端部に回動中心を有して、作業者が先端部（グリップ）を握って回動操作することができる部材である。
操作アームの形状、素材は限定されない。例えば、各種の金属、各種のプラスチックなどを採用することができる。
スライドピンが取り付けられる「密閉扉の外周部のうち、ガイドレールに収納された（はまり込んだ）部分」としては、例えば、ガイドレールの底板と向かい合う密閉扉の端面（底面）が挙げられる。その他、密閉扉の外周部のガイドレールに収納された部分に、その内面と外面とを貫通する貫通孔を形成し、この貫通孔の両端開口から長さ方向の各端部が突出、没入するように、スライドピンを埋め込んでもよい。
【００１４】
スライドピンの素材としては、例えば、各種の金属（ステンレス、鉄、アルミニウム合金など）、各種のプラスチック（ポリカーボネート、フッ素系樹脂など）を採用することができる。
スライドピンの長さは、ガイドレールの内部空間の溝幅（内外方向の長さ）より短ければ任意である。ただし、操作アームの回動量を少なくして密閉扉の密閉または密閉解除を行うには、スライドピンの長さをガイドレールの内部空間の幅と略同一とした方が好ましい。
【００１５】
運動変換機構は、操作アームの回動をスライドピンの直線的な移動に変換するとともに、この直線運動に伴い、ガイドレールの２枚の側板のうち、何れか一方の側板の内面に当接したスライドピンの端部を支点にして、密閉扉をその他方の側板へ向かって移動させるものである。例えば、カム機構、歯車機構、リンク機構などを採用することができる。
この運動変換機構の機能のうち、スライドピンの直線運動に伴い、ガイドレールの２枚の側板のうち、何れか一方の側板の内面に当接したスライドピンの端部を支点にして、密閉扉をその他方の側板へ向かって移動させる機能を、運動変換機構に付帯した別機構としてもよい。
【００１６】
また、請求項２に記載の発明は、前記密閉扉の外周部のうち、前記ガイドレールに収納された部分の端面には、内外方向の両端面を貫通した（内外方向に延びる）円形の貫通孔を有する本体ケーシングが固定され、該本体ケーシングの貫通孔には、前記貫通孔の軸線を中心にして回動自在な円筒軸が収納され、該円筒軸の筒（軸孔）内には、前記スライドピンが内外方向へスライド自在に収納され、前記円筒軸の長さ方向のシール材側とは反対側の端部には、前記操作アームの基端部が固定されている請求項１に記載の密閉扉用締込ハンドルである。
【００１７】
本体ケーシングは、ガイドレールに沿って移動する（走行する）密閉扉に対して、内外方向へ移動自在に取り付けられるスライドピン（円筒軸も同じ）を保護（支持）するためのベース材である。
本体ケーシングの素材としては、例えば、各種の金属、各種のプラスチックなどを採用することができる。
本体ケーシングの形状は任意である。例えば、矩形の箱形状などとすることができる。
貫通孔は、本体ケーシングにその幅方向（内外方向）に貫通して形成されている。つまり、本体ケーシングの幅方向の両端面に貫通孔が開口している。貫通孔の直径は、円筒軸を回動自在に収納可能であれば任意である。
【００１８】
円筒軸は、操作アームの回動力を直線移動するスライドピンに伝達する。
円筒軸の軸孔の内径は、スライドピンの直径に応じて適宜変更される。
円筒軸の長さは、例えば、本体ケーシングの貫通孔の長さと略同一でも、それより長くてもよい。円筒軸は、貫通孔より長い方が、その貫通孔より突出した部分に操作アームの基端部を固定できることから、好ましい。
貫通孔の直径は、スライドピンをスライド自在に収納可能であれば任意である。
円筒軸のうち、操作アームの基端部が固定される部分を、円筒軸の長さ方向のシール材側とは反対側の端部とした理由は、操作アームを円筒軸の長さ方向のシール材側に連結すれば、シール材が抵抗となり、操作アームのスムーズな回動操作ができないことから、これを回避するためである。
【００１９】
さらに、請求項３に記載の発明は、前記運動変換機構は、前記円筒軸の胴部に形成された螺旋状のカム溝と、前記スライドピンの外周面から突出して、前記カム溝に収納（係合）されるカム突起とを有したカム機構である請求項２に記載の密閉扉用締込ハンドルである。
【００２０】
螺旋状のカム溝とは、カム溝が、円筒の外周において円筒の軸線を中心とした螺旋またはその一部を形成することを意味する。螺旋状のカム溝の形成数は例えば、１つまたは２つ以上でもよい。複数の場合、各カム溝は、円筒軸の周方向に離間して形成される。
カム突起の本数は、カム溝の形成数に応じて変更される。
カム突起は、スライドピンと同一素材で一体的に形成しても、別体で形成してもよい。
【発明の効果】
【００２１】
請求項１に記載の発明によれば、密閉扉の密閉時、操作アームの密閉方向への回動に伴い、運動変換機構を介して、スライドピンが、ガイドレールの側板にシール材が圧着されるシール圧着方向とは反対のシール離反方向へスライドし、そのスライド進行方向の端部がガイドレールのシール離反側の側板の内面に当接する。
その後も操作アームの密閉方向への回動を進めることで、ガイドレールのシール離反側の側板の内面をスライドピンが押しながら、この側板の内面に当接したスライドピンの端部を支点にして、密閉扉をシール圧着方向へ移動させる。これにより、シール材がシール圧着側の側板の内面に圧着され、密閉扉が密閉される。
【００２２】
また、密閉扉の密閉解除時には、操作アームを密閉解除方向への回動に伴い、運動変換機構を介して、スライドピンが、ガイドレールのシール圧着側の側板方向へスライド（直線運動）し、そのスライド進行方向の端部がガイドレールのシール圧着側の側板の内面に当接する。
その後も操作アームの密閉解除方向への回動を進めることで、ガイドレールのシール圧着側の側板の内面をスライドピンが押しながら、この側板の内面に当接したスライドピンの端部を支点にして、密閉扉をシール離反方向へ移動させる。このとき、操作アームの回動操作力が、シール圧着側の側板の内面に当接されたスライドピンの端面に集中するため、シール材の一部に大きな剥離力が作用する。よって、シール圧着側の側板の内面からシール材が強制的に剥がされる。その結果、従来は重労働であった構造物の出入口からの密閉扉の撤去作業が容易となる。
【００２３】
特に、請求項２に記載の発明によれば、このように操作アームの基端部が固定された円筒軸を、本体ケーシングを介して密閉扉のガイドレールに収納された部分の端面に取り付け、円筒軸の軸孔内にスライドピンを内外方向へスライド自在に挿入している。
これにより、操作アームの回動に伴い円筒軸が密閉方向または密閉解除方向に回動することで、スライドピンを確実かつスムーズに内外方向へ直線移動させることができる。さらに、スライドピン付きの円筒軸を本体ケーシングに収納したため、ガイドレールに沿った密閉扉の移動中、仮にガイドレールに入り込んだ異物と衝突した場合でも、スライドピンや円筒軸を保護することができる。
【００２４】
また、請求項３に記載の発明によれば、運動変換機構として、円筒軸の胴部に設けた螺旋状のカム溝と、スライドピンの外周面から突出したカム突起とを有するカム機構を採用したため、廉価でメンテナンスも容易に、操作アームの回動運動を確実にスライドピンの直線運動に変換することができる。
【図面の簡単な説明】
【００２５】
【図１】この発明の実施例１に係る密閉扉用締込ハンドルが配された密閉扉の密閉状態を示す全体斜視図である。
【図２（ａ）】この発明の実施例１に係る密閉扉用締込ハンドルが配された密閉扉の密閉解除状態を示す要部拡大縦断面図である。
【図２（ｂ）】この発明の実施例１に係る密閉扉用締込ハンドルが配された密閉扉の密閉状態を示す要部拡大縦断面図である。
【図３】この発明の実施例１に係る密閉扉用締込ハンドルの回動範囲を示す要部拡大正面図である。
【図４】この発明の実施例１に係る密閉扉用締込ハンドルの正面側からの斜視図である。
【図５】この発明の実施例１に係る密閉扉用締込ハンドルの背面側からの斜視図である。
【図６】この発明の実施例１に係る密閉扉用締込ハンドルの要部拡大側面図である。
【図７】図６のＡ−Ａ位置での端面図である。
【図８】この発明の実施例１に係る密閉扉用締込ハンドルの一部断面図を含む要部拡大平面図である。
【図９】この発明の実施例１に係る密閉扉用締込ハンドルの要部拡大縦断面図である。
【図１０】この発明の実施例１に係る密閉扉用締込ハンドルの一部を構成する円筒軸の拡大縦断面図である。
【図１１】この発明の実施例１に係る密閉扉用締込ハンドルの一部を構成する円筒軸の胴部の展開図である。
【図１２】この発明の実施例１に係る別の密閉扉用締込ハンドルが配された密閉扉の戸尻側の部分の密閉状態を示す要部拡大斜視図である。
【図１３】この発明の実施例１に係る別の密閉扉用締込ハンドルが配された密閉扉の戸尻側の要部拡大斜視図である。
【図１４】この発明の実施例１に係る別の密閉扉用締込ハンドルによる密閉扉の戸尻側の部分の密閉状態を示す一部断面図を示す要部拡大平面図である。
【図１５】（ａ）は、この発明の実施例１に係るまた別の密閉扉用締込ハンドルの使用状態を示す要部拡大斜視図である。（ｂ）は、この発明の実施例１に係るまた別の密閉扉用締込ハンドルの回動操作状態を示す要部拡大斜視図である。
【発明を実施するための形態】
【００２６】
以下、この発明の実施例を、図面を参照して具体的に説明する。ここでは、構造物として間口の広い建物の出入口を、洪水時に塞ぐ密閉扉を密閉するための密閉扉用締込ハンドルを例にとる。
説明の都合上、Ｘ１方向を出入口の戸袋方向、Ｘ２方向を出入口の戸袋とは反対側に配置された側柱枠方向、Ｙ１方向を出入口より外方向（屋外方向）、Ｙ２方向を出入口より内方向（屋内方向）、Ｚ１方向を上方向、Ｚ２方向を下方向とする。
【実施例】
【００２７】
図１および図２において、１０はこの発明の実施例１に係る密閉扉用締込ハンドルで、この密閉扉用締込ハンドル１０は、建物（構造物）１１の間口の広い出入口（開口部分）１２に配置されて、Ｘ１−Ｘ２方向に長いガイドレール１３に沿って移動する密閉扉１４を密閉および密閉解除するものである。
建物１１の出入口１２のうち、Ｘ１側の端部に密閉扉１４の戸袋１５が設けられ、Ｘ２側の端部に側柱枠１６が立設されている（戸袋１５および側柱枠１６については、後述する）。
【００２８】
まず、密閉扉用締込ハンドル１０の詳細を説明する前に、ガイドレール１３および密閉扉１４について説明する。
ガイドレール１３は、Ｙ１−Ｙ２（内外）方向に平行に離間した２枚の側板１７，１８を底板１９により連結した樋状のステンレス枠材で、戸袋１５のＸ１側の端と側柱枠１６との間の床面に、上向きコの字形状の複数の帯筋１３ａを介して配設されている（図２）。また、底板１９の上面のＹ１−Ｙ２方向の中間部には、ガイドレール１３の全長にわたって、Ｘ１−Ｘ２方向に延びた戸車用レール２０が固定されている。
また、出入口１２の床面のうち、ガイドレール１３の内側の側板１８の付近には、Ｘ１−Ｘ２（間口の長さ）方向に所定ピッチで、２本の柱立て用穴（図示せず）が陥没形成されている。各柱立て用穴には、それぞれ中間支柱２１が抜き差し自在に立設されている（図１）。各中間支柱２１の上端部の外側の面には、密閉扉１４がＸ１−Ｘ２方向へ移動（横引き）する際、密閉扉１４の上端部をガイドする下向きコの字形の中間ガイド枠２２がそれぞれ突設されている。
【００２９】
図１２および図１５に示すように、戸袋１５は、出入口１２のＸ１−Ｘ２方向の長さと略同じ長さを有して、戸袋１５の外面（Ｙ１側の面）と、Ｘ２側の端面とが開口したＸ１−Ｘ２方向に長い矩形ボックスである。
また、戸袋１５のＸ２側の端部には、その内板１５ａのＹ１側の面に固定された縦長な角型の取り付け枠２３が立設されている。取り付け枠２３のＸ１側の面には、縦長なアングル鋼状の掛止金具２４のＹ１−Ｙ２方向に延びる一側部が固定されている。掛止金具２４のうち、Ｘ１方向に突出した他側部には、Ｚ１−Ｚ２方向に所定ピッチで、掛止金具２４の他側部の先端からＸ２方向に延びた一対の掛止溝２４ａが形成されている。各掛止溝２４ａには、後述する一対の別の密閉扉用締込ハンドル１０Ａに取り付けられた円形フック２５が掛止される。
さらに、側柱枠１６は、Ｘ１側の面が全長にわたって開口するガイドレール１３と同一形状の縦長な樋状のステンレス枠で、内外方向に平行に離間した縦長な２枚の側板１７，１８のうち、Ｘ２側の端同士を底板１９によって連結したものである。
【００３０】
次に、図１および図２を参照して、密閉扉１４を詳細に説明する。
密閉扉１４は、ステンレス製のＸ１−Ｘ２方向に長い中空パネルで、その長さは、出入口１２のＸ１−Ｘ２方向の長さと略同じである。
密閉扉１４の下端部の内面（Ｙ２側の面）には、Ｘ１−Ｘ２方向の全長にわたって、ゴム製の厚肉で細長いシール材２６が固定されている。また、密閉扉１４のＸ１−Ｘ２側の各端部の内面には、Ｚ１−Ｚ２方向に長いシール材２６が、その全長にわたって貼り付けられて固定されている。
密閉扉１４の下端面（Ｚ２側の面）のうち、そのＸ１−Ｘ２方向の両端部には、前記戸車用レール２０上を走行する一対の戸車２７が配設されている。
【００３１】
また、密閉扉１４の下端部付近の外面（Ｙ１側の面）には、Ｘ１−Ｘ２方向に所定ピッチで、合計７つの密閉扉用締込ハンドル１０が配設されている。また、密閉扉１４のＸ２方向の端部（戸先側の端部）の外面には、Ｚ１−Ｚ２（上下）方向に所定ピッチで２つの密閉扉用締込ハンドル１０が配設されている。さらに、密閉扉１４のＸ１方向の端部（戸尻側の端部）の外面には、Ｚ１−Ｚ２方向に所定ピッチで２つの別の密閉扉用締込ハンドル１０Ａが配設されている。
密閉扉１４の外面には、そのＸ１方向の端部付近と、Ｘ２方向の端部付近とに、合計５つの形状の異なる持手２８が離間配置されている。
また、密閉扉１４のＸ１側の端面の略上半分には、密閉扉１４を戸袋１５に収納する際のガイドとなる台形状のガイド枠２９が、Ｘ１方向へ突設されている。
【００３２】
次に、図２〜図１１を参照して、各密閉扉用締込ハンドル１０を具体的に説明する。
密閉扉１４のＸ１側の端部に配された後述する別の密閉扉用締込ハンドル１０Ａを除き、各密閉扉用締込ハンドル１０の構造は同一であるため、ここでは１つの密閉扉用締込ハンドル１０のみについて説明する。
図２〜図９に示すように、密閉扉用締込ハンドル１０は、密閉扉１４の外周部のうち、ガイドレール１３に収納された部分の下端面に固定されて、内外方向の両端面を貫通した円形の貫通孔３０を有する本体ケーシング３１と、この貫通孔３０に収納されて、Ｙ１側の端部が貫通孔３０より外へ突出した状態で、貫通孔３０の軸線ａを中心にして回動自在な円筒軸３２と、円筒軸３２の軸孔３２ａに内外方向へスライド自在に収納されて、密閉扉１４の外周部のうち、ガイドレール１３に収納された部分に、内外（Ｙ１−Ｙ２）方向へスライド自在に取り付けられたスライドピン３３と、円筒軸３２の外側の端部に基端部が固定されたグリップ３４付きの操作アーム３５と、操作アーム３５の回動運動をスライドピン３３の直線運動に変換するとともに、この直線運動に伴い、ガイドレール１３の２枚の側板１７，１８のうち、何れか一方の側板１７，１８の内面に当接したスライドピン３３の端部を支点にして、密閉扉１４をその他方の側板１７，１８へ向かって移動させることで、密閉扉１４の密閉および密閉解除を行う運動変換機構３６とを備えている。
【００３３】
図６〜図９に示すように、本体ケーシング３１は、Ｙ１側の端面とＹ２側の端面の中央部を貫く貫通孔３０が形成されたステンレス製の厚肉な立方体である。この本体ケーシング３１の厚さ（Ｙ１−Ｙ２方向の長さ）は、密閉扉１４の厚さと同じである。
本体ケーシング３１のＹ１側の端面とＹ２側の端面とには、貫通孔３０に連通した一対の円環溝３７が形成されている。各円環溝３７の下端部付近の周側面には、貫通孔３０の軸線ａを中心にした放射方向へ延びる小径な２つのばね孔３８が形成されている。各ばね孔３８には、後述する小径な金属ボール３９を常時外方へ付勢する小型のスプリング４０が収納されている。
本体ケーシング３１の貫通孔３０の内周面のうち、Ｘ１−Ｘ２側の端部には、Ｙ１−Ｙ２方向へ延びた一対の長溝４１が形成されている。
また、本体ケーシング３１のＹ１−Ｙ２側の端面の上端部には、そのＸ１−Ｘ２方向の中間部に、一対の小さな角型突起状の回動ストッパ４２が一体的に突設されている。
【００３４】
本体ケーシング３１は、貫通孔３０の軸線ａを通る垂直面を中心にして、Ｘ１−Ｘ２方向に２等分割した一対の部分ケーシング３１Ａ，３１Ｂと、各部分ケーシング３１Ａ，３１Ｂの上端面を連結して、本体ケーシング３１の上端面よりＸ１−Ｘ２方向へ長い矩形状の台座４３とを有している。
すなわち、各部分ケーシング３１Ａ，３１Ｂの互いに向き合う面には、貫通孔３０をＸ１−Ｘ２方向に半分割した一対の部分貫通孔３０Ａ，３０Ｂと、一対の円環溝３７をＸ１−Ｘ２方向に半分割した２対の部分円環溝３７Ａ，３７Ｂと、一対の回動ストッパ４２をＸ１−Ｘ２方向に半分割した２対の部分回動ストッパ４２Ａ，４２Ｂとがそれぞれ形成されている。さらに、各部分ケーシング３１Ａ，３１Ｂには、対応する長溝４１と、対応するばね孔３８とが、それぞれ所定位置に１つずつ形成されている。
本体ケーシング３１は、台座４３を介して、密閉扉１４の下端面またはＸ２側（戸先側）の端面に、ビス止めによって固定されている。
【００３５】
図８〜図１１に示すように、円筒軸３２は、本体ケーシング３１の貫通孔３０の両端開口よりそれぞれ外方に突出する長さを有したステンレス製のパイプである。
円筒軸３２のＹ１側の突出部分の長さは、そのＹ２側の突出部分の長さより長い。このうち、Ｙ１側の突出部分は、先端側の薄肉な角型突起４４と、基端側の厚肉なＹ１側大径部４５とが、同軸的に一体形成されたものである。また、Ｙ２側の突出部分は、薄肉なＹ２側大径部４５Ａからなる。
Ｙ１側大径部４５とＹ２側大径部４５Ａとの各外周部には、軸線ａを中心とした９０°の領域に、円弧状の回動ガイド溝４６がそれぞれ形成されている（図３および図５）。各回動ガイド溝４６には、対応する回動ストッパ４２がそれぞれ配置される。そのため、円筒軸３２の軸線ａを中心とした密閉扉１４の密閉方向および密閉解除方向への回動は、対応する回動ストッパ４２が、各回動ガイド溝４６の一端または他端に当接するまでの９０°のみで規制される。
【００３６】
円筒軸３２の両端部付近には、Ｙ１側大径部４５またはＹ２側大径部４５Ａと一体形成されて、対応する円環溝３７に軸線ａを中心にして回動自在に収納された中径部４７が一体形成されている。各中径部４７の外周面には、周方向へ９０°ピッチで３つの小径な半球状のボール溝４８が形成されている（図７）。このうち、隣接する２つのボール溝４８に、各ばね孔３８のスプリング４０よって常時外方へ付勢された一対の金属ボール３９が嵌まり込んでいる。
すなわち、密閉扉１４の密閉時には、中間配置されたボール溝４８を共通部分として、この中間位置のものと、それより反時計回り側に配置されたボール溝４８とに、２つの金属ボール３９が嵌入される。また、密閉扉１４の密閉解除時には、中間配置されたボール溝４８と、それより時計回り側に配置されたボール溝４８とに、２つの金属ボール３９が嵌入される。
【００３７】
これらのボール溝４８に、対応する金属ボール３９が嵌入した時、“カチッ”という嵌入音がする。これにより、密閉完了および密閉解除完了を、聴覚およびグリップ３４を握った手に伝わる微振動により確認することができる。
円筒軸３２の長さ方向の中間部は、肉薄な胴部４９となっている。胴部４９には、そのＸ１側の部分とＸ２側の部分とに、一対の螺旋状のカム溝５０が離間状態で形成されている（図１０および図１１）。各カム溝５０は、ねじり方向や溝長さなどが同一の溝である。各カム溝５０の両端部には、後述する各カム突起部５７の掛止用凹部５０ａが形成されている。
【００３８】
図２、図８および図９に示すように、スライドピン３３は、ガイドレール１３の２枚の側板１７，１８がＹ１−Ｙ２方向に離間した長さ（溝幅）と略同じ長さを有したステンレス製の軸体である。すなわち、スライドピン３３は、円筒軸３２の両端開口よりそれぞれ外方に突出している。
スライドピン３３のＹ１−Ｙ２の両端面には、軸線ａ方向に延びるねじ孔５１がそれぞれ形成されている。このうち、Ｙ１側のねじ孔５１には、シムリング５２を介して小型の長さ調整ボルト５３が螺合されている。シムリング５２の枚数を変更することで、ガイドレール１３の溝幅を合わせてスライドピン３３の長さを微調整することができる。
【００３９】
なお、シムリング５２では調整できないほどガイドレール１３の溝幅が長い場合には、それに応じた長さ調整ボルト５３を使用する（例えば、図１３に示す別の密閉扉用締込ハンドル１０Ａに組み込まれた首長調整ボルト５４を参照）。
スライドピン３３のＹ１−Ｙ２方向の中間部付近には、スライドピン３３のＸ１−Ｘ２側の端部を貫通して、ピン孔５５が形成されている。このピン孔５５には、中径部４７の直径と略同一長さのカム突起用ピン５６が嵌入されている。カム突起用ピン５６のうち、ピン孔５５の両端開口から突出した両端部分が、対応する螺旋状のカム溝５０と長溝４１とに一連に挿入される一対のカム突起部（カム突起）５７となる。
運動変換機構３６は、一対のカム突起部５７を含むカム突起用ピン５６と、一対のカム溝５０と、一対の長溝４１とから構成されている。
【００４０】
図３〜図５に示すように、操作アーム３５は、細長いステンレス板を、幅狭な先部が幅広な基部より外方向に配置されるように段差状に屈曲した部材である。この先部が操作アーム３５を手動回動する際のグリップ３４となる。操作アーム３５の基部の先端部分の外面（Ｙ１側の面）には、密閉扉１４の密閉方向と密閉解除方向とが、矢印により表示されている。
また、操作アーム３５の丸くカットされた基端部の中央部には、角型嵌合孔５８が表裏面を貫通して形成されている。この角型嵌合孔５８に円筒軸３２の角型突起４４が嵌入され、この状態で操作アーム３５の基端部と円筒軸３２とがビス止めによって連結される。
【００４１】
図１、図１２〜図１４に示すように、別の密閉扉用締込ハンドル１０Ａは、密閉扉１４のＸ１側（戸尻側）の端面のうち、各掛止溝２４ａと対峙する位置に固定されている。
各別の密閉扉用締込ハンドル１０Ａは、上述した密閉扉用締込ハンドル１０のうち、短尺な長さ調整ボルト５３に代えて、先端面に円形フック２５の中心部が固定されたＹ２方向に延びる首長調整ボルト５４を採用したものである。各首長調整ボルト５４は、スライドピン３３のＹ２側のねじ孔５１に螺合されている。各首長調整ボルト５４の直径は、各掛止溝２４ａの溝幅より短い。
【００４２】
次に、図１〜図１４を参照して、この発明の実施例１に係る密閉扉用締込ハンドル１０および別の密閉扉用締込ハンドル１０Ａが搭載された密閉扉１４による建物１１の出入口１２の密閉および密閉解除方法を説明する。
図１に示すように、洪水発生時、建物１１の出入口１２を密閉する際には、まず各柱立て用穴に各中間支柱２１の基端部を差し込んで立設する。次に、各持手２８を適宜持ち換えて、戸車用レール２０上で各戸車２７を走行させながら、戸袋１５から密閉扉１４をガイドレール１３に沿ってＸ２方向へ引き出して行く。その結果、最終的に密閉扉１４のＸ２側（戸先側）の端部が、側柱枠１６の縦長な２枚の側板１７，１８の隙間に挿入される。これにより、建物１１の出入口１２が密閉扉１４によって塞がれる。
【００４３】
次に、各密閉扉用締込ハンドル１０による密閉扉１４の密閉操作を行う。なお、それぞれの密閉操作（密閉解除操作も同じ）は同一の作業となるため、ここでは１つの密閉扉用締込ハンドル１０のみを例に説明する。
図１〜図３、図６〜図１１に示すように、密閉扉１４の密閉時には、操作アーム３５を密閉方向（図１および図３の反時計回り方向）に回動させることで、円筒軸３２が操作アーム３５と一体的に密閉方向に回動する。これにより、各カム突起部５７が螺旋状の各カム溝５０のＹ２側の溝壁面により徐々にＹ１方向へ押し込まれながら、スライドピン３３と一体的に各長溝４１に沿ってＹ１方向へ移動する。これにより、スライドピン３３のＹ１側の端部がガイドレール１３の外側（Ｙ１側）の側板１７の内面に当接する。
【００４４】
その後も操作アーム３５の密閉方向への回動を進めることにより、外側の側板１７の内面をスライドピン３３が押しながら、この外側の側板１７の内面に当接したスライドピン３３の端部を支点にして、密閉扉１４を、シール圧着方向であるＹ２方向へ移動させる。最終的に、操作アーム３５と円筒軸３２とが９０°回動した時点（回動ストッパ４２が回動ガイド溝４６の密閉側の端部に到達した時点）で、シール材２６がガイドレール１３の内側の側板１８の内面に圧着され、密閉扉１４が密閉される。
このとき、各スプリング４０によりばね付勢された２つの金属ボール３９が、３つのボール溝４８のうち、密閉側となる２つのボール溝４８に、“カチッ”というクリック音とともに嵌入する。また、各カム突起部５７は、対応するカム溝５０のＸ２側の端部に形成された掛止用凹部５０ａに嵌入し、位置決めされる。
【００４５】
次に、図１、図３、図１２〜図１４を参照して、別の密閉扉用締込ハンドル１０Ａによる密閉扉１４のＸ１側の端部の密閉作業を説明する。
図１に示すように、密閉扉１４のＸ２側の端部が側柱枠１６の縦長な各側板１７，１８の隙間に挿入したとき、密閉扉１４のＸ１側の端部では、各別の密閉扉用締込ハンドル１０Ａの首長調整ボルト５４の先端部が、掛止金具２４の対応する掛止溝２４ａに挿入される。その後、操作アーム３５を密閉扉１４の密閉側へ回動することにより、各スライドピン３３のＹ１方向へのスライドに伴い、各首長調整ボルト５４が同じＹ１方向へスライドする。その結果、各首長調整ボルト５４の先端面に固定された円形フック２５が、掛止金具２４の各掛止溝２４ａの形成部分に、裏側（Ｙ２側）から押圧される。
【００４６】
その後も、操作アーム３５の密閉方向への回動を進めることで、スライドピン３３と首長調整ボルト５４とがさらにＹ１方向へ移動する。これにより、円形フック２５の首長調整ボルト５４との連結部分を支点にして、密閉扉１４が掛止金具２４側へ徐々に引き寄せられる。その結果、密閉扉１４のＸ１側の端部に固定された縦長なシール材２６が、戸袋１５の開口付近に立設された縦長な取り付け枠２３のＹ１側の面に圧着されて、密閉扉１４の戸尻側が密閉される。これにより、洪水時、水圧が作用する外方向（Ｙ１方向）から、建物１１の敷地内へ流れ込む水を、出入口１２の前で止水することができる。
【００４７】
次に、図１〜図３、図６〜図１１を参照して、密閉扉１４の密閉解除方法を説明する。
密閉扉１４の密閉解除時には、操作アーム３５を、密閉解除方向（図１および図３の時計回り方向）に回動させる。これにより、円筒軸３２が操作アーム３５と一体的に密閉解除方向に回動する。このとき、各カム突起部５７が、螺旋状の各カム溝５０のＹ１側の溝壁面により徐々にＹ２方向へ押し込まれながら、各カム突起部５７はスライドピン３３と一体的に、対応する長溝４１に沿ってＹ２方向へ移動する。これにより、スライドピン３３のＹ２側の端部がガイドレール１３の内側（Ｙ２側）の側板１８の内面に当接する。
その後も操作アーム３５の密閉解除方向への回動を進めることで内側の側板１８の内面をスライドピン３３が押しながら、この側板１８の内面に当接したスライドピン３３の端部を支点にして、密閉扉１４をシール離反方向であるＹ１方向へ移動させる。このとき、操作アーム３５の回動操作力が、内側の側板１８の内面に当接されたスライドピン３３の端面に集中するため、シール材２６の一部に大きな剥離力が作用する。よって、内側の側板１８の内面からシール材２６を強制的に剥離することができる。
【００４８】
次に、図１、図３、図１２〜図１４を参照して、別の密閉扉用締込ハンドル１０Ａによる密閉扉１４の戸尻側の端部の密閉解除方法を説明する。
図１に示すように、操作アーム３５を密閉扉１４の密閉解除方向（開方向）へ９０°回動させる（図３）。これにより、運動変換機構３６を介して、各スライドピン３３がＹ２方向へスライドし、これに伴い、各首長調整ボルト５４がＹ２方向へ移動（突出）する。その結果、掛止金具２４の各掛止溝２４ａの形成部分に裏側（Ｙ２側）から掛止されていた円形フック２５は、掛止金具２４から離反し、掛止状態が解除される。
その後、各持手２８を適宜変更して、戸車用レール２０上で各戸車２７を走行させながら、密閉扉１４をガイドレール１３に沿ってＸ１方向へ押し戻し、最終的に密閉扉１４を戸袋１５に収納する。収納後は、各柱立て用穴から各中間支柱２１を引き抜くことで、建物１１の出入口１２が開放される。
【００４９】
以上のことから、従来は重労働であった建物１１の出入口１２からの密閉扉１４の撤去作業を容易に行うことができる。特に、シール材２６が劣化している場合などには、この撤去作業がさらに困難となっていたが、これも解消される。
また、実施例１では、操作アーム３５の基端部が固定された円筒軸３２を、本体ケーシング３１を介して、密閉扉１４のガイドレール１３に収納された部分の端面に取り付けるとともに、円筒軸３２の軸孔３２ａに、スライドピン３３を内外方向へスライド自在に挿入している。これにより、操作アーム３５の回動に伴い、円筒軸３２を密閉方向または密閉解除方向に回動することで、スライドピン３３を確実かつスムーズに内外方向（Ｙ１−Ｙ２方向）へ直線移動させることができる。
【００５０】
さらには、スライドピン付きの円筒軸３２を本体ケーシング３１に収納したため、ガイドレール１３に沿った密閉扉１４の移動中、仮にガイドレール１３に入り込んだ異物と衝突した場合でも、スライドピン３３や円筒軸３２を保護することができる。
さらにまた、運動変換機構３６として、円筒軸３２の胴部４９に設けた螺旋状のカム溝５０と、スライドピン３３の外周面から突出したカム突起部５７とを有するカム機構を採用したため、廉価でメンテナンスも容易に、操作アーム３５の回動運動を確実にスライドピン３３の直線運動に変換することができる。
【００５１】
なお、実施例１では、三方ガイドレール方式の防水扉装置を例に示したが、これに限定されない。例えば、四方ガイドレール方式のものでもよい。
また、実施例１では、各密閉扉用締込ハンドル１０を単独で密閉または密閉解除するようにしたが、これに限定されない。例えば、密閉扉１４に配設された全ての密閉扉用締込ハンドル１０を操作力伝達可能に連結し、１つの操作アーム３５の１回の回動操作により、全ての密閉扉用締込ハンドル１０を密閉または密閉解除するように構成してもよい。
【００５２】
その他、例えば、図１５（ａ）に示すように、密閉扉１４の一辺部に配された各密閉扉用締込ハンドル１０の操作アーム３５を、それぞれ回動ピン５９を介して、１本の連結ロッド６０により連結してもよい。この場合、１つの操作アーム３５を回動操作することで（図１５（ｂ））、その一辺部に配された各密閉扉用締込ハンドル１０を、同時に密閉または密閉解除することができる。
【００５３】
また、図５中の二点鎖線に示すように、スライドピン３３のＹ２側の端面に、対応するねじ孔５１への装着ねじ６１ａの螺合によってキャスタ６１を装着する構造とすれば、密閉扉１４を、ガイドレール１３に沿ってＸ１−Ｘ２方向へ移動する際、側板１８とシール材２６との摩擦を軽減して、よりスムーズに密閉扉１４を移動させることができる。
【産業上の利用可能性】
【００５４】
この発明は、構造物の出入口に、スライドレールを介して移動自在に配置された密閉扉の密閉を行う技術として有用である。
【符号の説明】
【００５５】
１０，１０Ａ  密閉扉用締込ハンドル、
１１  建物（構造物）、
１２  出入口（開口部分）、
１３  ガイドレール、
１４  密閉扉、
１７，１８  側板、
１９  底板、
２６  シール材、
３０  貫通孔、
３１  本体ケーシング、
３２  円筒軸、
３２ａ  軸孔、
３３  スライドピン、
３５  操作アーム、
３６  運動変換機構、
４９  胴部、
５０  カム溝、
５７  カム突起部（カム突起）、
ａ  軸線。
【図１】
2018159181.tif 000003
【図２（ａ）】
2018159181.tif 000004
【図２（ｂ）】
2018159181.tif 000005
【図３】
2018159181.tif 000006
【図４】
2018159181.tif 000007
【図５】
2018159181.tif 000008
【図６】
2018159181.tif 000009
【図７】
2018159181.tif 000010
【図８】
2018159181.tif 000011
【図９】
2018159181.tif 000012
【図１０】
2018159181.tif 000013
【図１１】
2018159181.tif 000014
【図１２】
2018159181.tif 000015
【図１３】
2018159181.tif 000016
【図１４】
2018159181.tif 000017
【図１５】
2018159181.tif 000018